(57)【要約】【課題】  本発明はエリア分割アナログ抵抗膜タッチパネルに関し、エリア分割に伴って配線パターンの本数が増えることに関連して発生する問題を解決して、信頼性の向上を図ることを課題とする。【解決手段】  ガラス板１１１上には、分散した中継電極１１８−１〜１１８−４と整列した外部接続用端子１２０−１〜１２０−４との間に配線パターン１１９−１〜１１９−４が形成してある。フィルム１３０の下面の４つの上部分割透明導電膜部１３３−１〜１３３−４は、夫々中継電極１１８−１〜１１８−４と接続してある。フィルム１３０には配線パターンが形成されていない。【選択図】  図４
2006039667.tif 000002
【特許請求の範囲】
【請求項１】
上部板に上部透明導電膜が形成してあり、該上部透明導電膜がスリットで分割された複数の上部分割透明導電膜部を有する構成であり、且つ、下部板に、アナログ抵抗膜である下部透明導電膜、電圧を印加されて上記下部透明導電膜にＸ方向及びＹ方向の電位勾配を形成させる電位勾配形成手段、外部に接続するための外部接続用端子を有する構成であり、且つ、押し操作された位置の電位が上記上部透明導電膜を通して検出される構成であるエリア分割アナログ抵抗膜タッチパネルにおいて、
上記各上部分割透明導電膜部から上記外部接続用端子までの配線パターンを専ら上記下部板に形成してなる構成としたことを特徴とするエリア分割アナログ抵抗膜タッチパネル。
【請求項２】
請求項１に記載のエリア分割タッチパネルにおいて、
上記下部板に形成してある上記配線パターンが、上記各上部分割透明導電膜部の一部と接続してある構成としたことを特徴とするエリア分割アナログ抵抗膜タッチパネル。
【請求項３】
請求項２に記載のエリア分割タッチパネルにおいて、
上記下部板に形成してある上記配線パターンが上記各上部分割透明導電膜部の一部と接続してある場所が、各上部分割透明導電膜部のうち上記外部接続用端子に近い場所であるように構成したことを特徴とするエリア分割アナログ抵抗膜タッチパネル。
【請求項４】
請求項１に記載のエリア分割タッチパネルにおいて、
上記各上部分割透明導電膜部は、その縁に沿ってＬ字形状の電極を有し、
上記下部板に形成してある上記配線パターンが上記Ｌ字形状電極と接続してある構成としたことを特徴とするエリア分割アナログ抵抗膜タッチパネル。
【請求項５】
請求項４に記載のエリア分割タッチパネルにおいて、
上記下部板に形成してある上記配線パターンが上記Ｌ字形状電極と接続してある場所が、上記Ｌ字形状電極のうち上記外部接続用端子に近い場所であるように構成したことを特徴とするエリア分割アナログ抵抗膜タッチパネル。
【発明の詳細な説明】
【技術分野】
【０００１】
本発明はエリア分割アナログ抵抗膜タッチパネルに係り、特に、同一タッチパネル内に複数の独立したアナログ入力エリアを有し多点同時入力を可能にするエリア分割アナログ抵抗膜タッチパネルに関する。
【０００２】
エリア分割アナログ抵抗膜タッチパネルは、異なるエリアを同時に押す操作を行った場合に各エリア毎に押し操作された点の座標を出力できるという多点同時入力機能を備えたものである。よって、エリア分割アナログ抵抗膜タッチパネルを使用すれば、別々の箇所を順次押す操作の他に、キーボードにおいて入力キーとシフトキーとを同時に押し下げ操作をすると同じような操作をすることが可能となる。
【０００３】
エリアを分割すると各エリア毎に外部接続端子へ延在する配線パターンが必要になって配線パターンの数が増えることになる。この増えた複数本の配線パターンをタッチパネルの信頼性を損ねないようにして配置することが重要となる。
【背景技術】
【０００４】
図１は従来のエリア４分割アナログ抵抗膜タッチパネル１０を分解して示す。図２（Ａ）はフィルム下面の透明導電膜及び配線パターンを示し、同図（Ｂ）はガラス板上面の透明導電膜、配線パターン及びダイオード等を示す。図３は図１に示すタッチパネル１０からガラス板上面の透明導電膜に電位勾配を形成する手段を取り除いた構成、即ち、各エリアの押し操作された座標の電位を上部透明導電膜を通して取り出す部分の構成を示す。Ｘ１−Ｘ２が横方向、Ｙ１−Ｙ２が縦方向、Ｚ１−Ｚ２が厚さ方向である。
【０００５】
エリア４分割アナログ抵抗膜タッチパネル１０は、下側の長方形のガラス板１１の上側にフィルム３０が周囲を両面テープでもって接着してあり、且つ、フレキシブルケーブル４０がＸ１方向に延びている構成であり、同時に押し操作することが可能である四つのエリア１〜４を有する。
【０００６】
ガラス板１１は、四つの辺１１ａ〜１１ｄを有する。ガラス板１１上面の全面に絶縁膜１２が形成され、絶縁膜１２上の中央にアナログ抵抗膜である長方形の下部透明導電膜１３が形成してある。下部透明導電膜１３の周囲の部分が額縁１１ｅである。額縁１１ｅの部分に、Ｌ字形状の配線パターン１４，１５、複数のダイオードチップ１６ａ、１６ｂ、１６ｃ、１６ｄ、多数の点電極１７ａ、１７ｂ、１７ｃ、１７ｄ、整列している中継電極１８−１〜１８−４、配線パターン１９−１〜１９−４、外部接続用端子２０−１〜２０−６等が形成してある。電圧モニター用の手段は省略してある。また、額縁１３の部分には、最上面に絶縁膜２１が形成してあり、配線パターン１４，１５等が覆われており、外部接続用端子２０−１〜２０−６及び中継電極１８−１〜１８−４は露出している。
【０００７】
配線パターン１４、１５はガラス板１１の対角の位置に配置しており、Ｘ方向に延在する配線パターン部分１４Ｘ，１５ＸとＹ方向に延在する配線パターン部分部分１４Ｙ，１５Ｙとを有する。ダイオードチップ１６ａは配線パターン部分１４Ｙと点電極１７ａとの間に、ダイオードチップ１６ｂは配線パターン部分１５Ｙと点電極１７ｂとの間に、共にＸ２が順方向である向きで接続してある。ダイオードチップ１６ｃは配線パターン部分１５Ｘと点電極１７ｃとの間に、ダイオードチップ１６ｄは配線パターン部分１４Ｘと点電極１７ｄとの間に、共にＹ１が順方向である向きで接続してある。また、配線パターン１４、１５は夫々外部接続用端子２０−５、２０−６を有する。外部接続用端子２０−５にＶｃｃを印加し、外部接続用端子２０−６をグランド電位とすると、点電極１７ｂに電圧が印加され、下部透明導電膜１３には点電極１７ｂから点電極１７ａに向かって即ちＸ２側からＸ１方向に向かって電位が下がる電位勾配が形成される。上記とは逆に外部接続用端子２０−６にＶｃｃを印加し、外部接続用端子２０−５をグランド電位とすると、点電極１７ｃに電圧が印加され、下部透明導電膜１３には点電極１７ｃから点電極１７ｄに向かって即ちＹ１側からＹ２方向に向かって電位が下がる電位勾配が形成される。Ｌ字形状の配線パターン１４，１５、複数のダイオードチップ１６ａ、１６ｂ、１６ｃ、１６ｄ、多数の点電極１７ａ、１７ｂ、１７ｃ、１７ｄが、電圧を印加されて下部透明導電膜１３にＸ方向及びＹ方向の電位勾配を形成させる電位勾配形成手段を構成する。
【０００８】
フィルム３０は、Ｘ１側の辺にフレキシブルケーブル４０の接続のための切欠３１を有する。切欠３１は上記の外部接続用端子２０−１〜２０−６が露出する大きさである。フィルム３０の下面には、その中央に、上部透明導電膜３３が形成してある。上部透明導電膜３３はエッチングで形成された十字のスリット３２でもって４つの上部分割透明導電膜部３３−１〜３３−４に分割されている。また、フィルム３０の下面には、前記の中継電極１８−１〜１８−４に対応して中継電極３４−１〜３４−４が整列して形成してあり、更に、上部分割透明導電膜部３３−１から延在して中継電極３４−１に到る配線パターン３５−１、上部分割透明導電膜部３３−２から延在して中継電極３４−２に到る配線パターン３５−２、上部分割透明導電膜部３３−３から延在して中継電極３４−３に到る配線パターン３５−３、上部分割透明導電膜部３３−４から延在して中継電極３４−４に到る配線パターン３５−４が形成してある。特に、配線パターン３５−４、３４−３は、切欠３１の奥側の狭い部分３０ａを通って延びている。
【０００９】
フレキシブルケーブル４０は、フレキシブルなテープ状のシート上に複数の配線パターンが平行に形成してあり、Ｘ２端側部分４０ａは上記切欠３１に対応する大きさであり、ここに、上記の外部接続用端子２０−１〜２０−６に対応して端子が並んでいる構成である。
【００１０】
ガラス板１１とフィルム３０とは、上部分割透明導電膜部３３−１〜３３−４がスペーサによって形成される隙間を介して下部透明導電膜１３上に対向し、中継電極３４−１〜３４−４が夫々中継電極１８−１〜１８−４と接続された状態にある。フレキシブルケーブル４０のＸ２端側部分４０ａがフィルム３０の切欠３１内に収まってガラス板１１上に接着してあり、フレキシブルケーブル４０の端子４０ａが外部接続用端子２０−１〜２０−６と接続されている。
【００１１】
制御回路装置によってフレキシブルケーブル４０を通して点電極１７ｂ及び点電極１７ｃに電圧Ｖｃｃが交互に印加され下部透明導電膜１３にＸ方向の電位勾配及びＹ方向の電位勾配が交互に形成される。エリア１を押す操作を行うと、上部分割透明導電膜部３３−１のうち下部透明導電膜１３と接触された点に応じた電位の信号が上部分割透明導電膜部３３−１、配線パターン３５−１、中継電極３４−１、中継電極１８−１、配線パターン１９−１、外部接続用端子２０−１、フレキシブルケーブル４０を介して制御回路装置に送られる。即ち、押し操作した点の電位が上部分割透明導電膜部３３−１を通して検出され、押し操作した点のＸ，Ｙ座標が割り出される。エリア２を押す操作を行うと、押し操作した点の電位が上部分割透明導電膜部３３−２、配線パターン３５−２、中継電極３４−２、中継電極１８−２、配線パターン１９−２、外部接続用端子２０−２、フレキシブルケーブル４０を介して検出され、押し操作した点のＸ，Ｙ座標が割り出される。エリア３を押す操作を行うと、押し操作した点の電位が上部分割透明導電膜部３３−３、配線パターン３５−３、中継電極３４−３、中継電極１８−３、配線パターン１９−３、外部接続用端子２０−３、フレキシブルケーブル４０を介して検出され、押し操作した点のＸ，Ｙ座標が割り出される。エリア４を押す操作を行うと、押し操作した点の電位が上部分割透明導電膜部３３−４、配線パターン３５−４、中継電極３４−４、中継電極１８−４、配線パターン１９−４、外部接続用端子２０−４、フレキシブルケーブル４０を介して検出され、押し操作した点のＸ，Ｙ座標が割り出される。
【００１２】
よって、エリア１〜４を同時に押し操作すると、各押し操作した点のＸ，Ｙ座標が別々に且つ同時に割り出される。
【特許文献１】特開平１１−１６１４２５号公報
【発明の開示】
【発明が解決しようとする課題】
【００１３】
ここでガラス板１１上に配線パターンを形成する場合と、フィルム３０上に配線パターンを形成する場合とを比較してみる。配線パターンは何れも導電ペーストをスクリーン印刷する手法によって形成されている。フィルム３０については上部透明導電膜３３の十字のスリット３２をエッチングで形成していることから表面に洗浄の残りや保護膜の残渣が残り易く、印刷性がよくない。また、フィルム３０上に形成された配線パターンは、タッチパネルの操作によってストレスを受ける虞れがあり、また、タッチパネルの表面が損傷した場合にその影響を受ける虞れもある。
【００１４】
上記のエリア４分割アナログ抵抗膜タッチパネル１０では、中継電極１８−１〜１８−４及び中継電極３４−１〜３４−４がフレキシブルケーブル４０が接続される個所の近くに配置してある。このため、フィルム３０側に比較的長い経路の配線パターン３５−１〜３５−４が形成してある構成となっており、エリア４分割アナログ抵抗膜タッチパネル１０は信頼性の点で問題があった。
【００１５】
また、フィルム３０には切欠３１が形成してあるので、切欠３１に臨んでいる部分３０ａは狭くなっており、この部分を通る配線パターン３５−３、３５−４は、幅を例えば０．５ｍｍ程度にまで狭くする必要があり、信頼性が低下してしまい、押し操作したときの上部分割透明導電膜部から外部接続端子までの区間の電気抵抗であるＯＮ抵抗も増大してしまう。図１では図示の便宜上、部分３０ａは広くなっているけれども、実際には、部分３０ａは非常に狭い。
【００１６】
また、エリヤの数を増やすと、フィルム３０に形成する配線パターンの数が多くなって、特に上記の狭い部分３０ａを通る配線パターンの数が多くなって、配線パターンの幅を更に狭くする必要がある。しかし、これは殆ど不可能であり、エリヤの数を例えば５以上に増やすことは殆ど不可能であった。
【００１７】
そこで、本発明は上記の課題を解決したエリア分割アナログ抵抗膜タッチパネルタッチパネル及びタッチパネル装置を提供することを目的とする。
【課題を解決するための手段】
【００１８】
そこで、本発明は、上部板に上部透明導電膜が形成してあり、該上部透明導電膜がスリットで分割された複数の上部分割透明導電膜部を有する構成であり、且つ、下部板に、アナログ抵抗膜である下部透明導電膜、電圧を印加されて上記下部透明導電膜にＸ方向及びＹ方向の電位勾配を形成させる電位勾配形成手段、外部に接続するための外部接続用端子を有する構成であり、且つ、押し操作された位置の電位が上記上部透明導電膜を通して検出される構成であるエリア分割アナログ抵抗膜タッチパネルにおいて、
上記各上部分割透明導電膜部から上記外部接続用端子までの配線パターンを専ら上記下部板に形成してなる構成としたことを特徴とする。
【発明の効果】
【００１９】
本発明によれば、各上部分割透明導電膜部から外部接続用端子までの配線パターンを専ら下部板に形成した構成であるため、エリア分割に伴って配線パターンの本数が増えることに関連して発生する問題を解決して、信頼性の向上を図ることができる。
【発明を実施するための最良の形態】
【００２０】
次に本発明の実施の形態について説明する。
【実施例１】
【００２１】
図４は本発明の実施例１になるエリア４分割アナログ抵抗膜タッチパネル１１０を分解して示す。図５（Ａ）はフィルム下面の透明導電膜及び配線パターンを示し、同図（Ｂ）はガラス板上面の透明導電膜、配線パターン及びダイオード等を示す。図６は図４に示すタッチパネル１１０からガラス板上面の透明導電膜に電位勾配を形成する手段を取り除いた構成、即ち、各エリアの押し操作された座標の電位を上部透明導電膜を通して取り出す部分の構成を示す。Ｘ１−Ｘ２が横方向、Ｙ１−Ｙ２が縦方向、Ｚ１−Ｚ２が厚さ方向である。
【００２２】
図４、図５、図６中、図１乃至図３に示す構成部分と対応する部分には１００を加算した符号を付す。
【００２３】
エリア４分割アナログ抵抗膜タッチパネル１１０は、下部板としての長方形のガラス板１１１の上側に上部板としてのフィルム１３０が周囲を両面テープでもって接着してあり、且つ、フレキシブルケーブル１４０がＸ１方向に延びている構成であり、同時に押し操作することが可能である四つのエリア１〜４を有する。
【００２４】
ガラス板１１１は、四つの辺１１１ａ〜１１１ｄを有する。ガラス板１１１上面の全面に絶縁膜１１２が形成され、絶縁膜１１２上の中央にアナログ抵抗膜である長方形の下部透明導電膜１１３が形成してある。下部透明導電膜１１３の周囲の部分が額縁１１１ｅである。額縁１１１ｅの部分に、Ｌ字形状の配線パターン１１４，１１５、複数のダイオードチップ１１６ａ、１１６ｂ、１１６ｃ、１１６ｄ、多数の点電極１１７ａ、１１７ｂ、１１７ｃ、１１７ｄ、分散している中継電極１１８−１〜１１８−４、分散している配線パターン１１９−１〜１１９−４、Ｘ１側に整列している外部接続用端子１２０−２、１２０−１、１２０−３〜１２０−６等が形成してある。電圧モニター用の手段は省略してある。また、額縁１１３の部分には、最上面に絶縁膜２１が形成してあり、配線パターン１１４，１１５、配線パターン１１９−１〜１１９−４等が覆われており、外部接続用端子１２０−１〜１２０−６及び中継電極１１８−１〜１１８−４は露出している。配線パターン１１４，１１５、１１９−１〜１１９−４は全て幅の制約を受けず、全て幅は１．０ｍｍである。
【００２５】
配線パターン１１４、１１５はガラス板１１１の対角の位置に配置しており、Ｘ方向に延在する配線パターン部分１１４Ｘ，１１５ＸとＹ方向に延在する配線パターン部分１１４Ｙ，１１５Ｙとを有する。ダイオードチップ１１６ａは配線パターン部分１１４Ｙと点電極１１７ａとの間に、ダイオードチップ１１６ｂは配線パターン部分１１５Ｙと点電極１１７ｂとの間に、共にＸ２が順方向である向きで接続してある。ダイオードチップ１１６ｃは配線パターン部分１１５Ｘと点電極１１７ｃとの間に、ダイオードチップ１１６ｄは配線パターン部分１１４Ｘと点電極１１７ｄとの間に、共にＹ１が順方向である向きで接続してある。また、配線パターン１１４、１１５は夫々外部接続用端子１２０−５、１２０−６を有する。外部接続用端子１２０−５にＶｃｃを印加し、外部接続用端子１２０−６をグランド電位とすると、点電極１１７ｂに電圧が印加され、下部透明導電膜１１３には点電極１１７ｂから点電極１１７ａに向かって即ちＸ２側からＸ１方向に向かって電位が下がる電位勾配が形成される。上記とは逆に外部接続用端子１２０−６にＶｃｃを印加し、外部接続用端子１２０−５をグランド電位とすると、点電極１１７ｃに電圧が印加され、下部透明導電膜１１３には点電極１１７ｃから点電極１１７ｄに向かって即ちＹ１側からＹ２方向に向かって電位が下がる電位勾配が形成される。Ｌ字形状の配線パターン１１４，１１５、複数のダイオードチップ１１６ａ、１１６ｂ、１１６ｃ、１１６ｄ、多数の点電極１１７ａ、１１７ｂ、１１７ｃ、１１７ｄが、電圧を印加されて下部透明導電膜１１３にＸ方向及びＹ方向の電位勾配を形成させる電位勾配形成手段を構成する。
【００２６】
フィルム１３０は、Ｘ１側の辺にフレキシブルケーブル１４０の接続のための切欠１３１を有する。切欠１３１は上記の外部接続用端子１２０−１〜１２０−６が露出する大きさである。フィルム１３０の下面には、その全面に、上部透明導電膜１３３が形成してある。上部透明導電膜１３３はエッチングで形成された十字のスリット１３２でもって４つの上部分割透明導電膜部１３３−１〜１３３−４に分割されている。１３３−１ａ〜１３３−４ａはエリア対応上部分割透明導電膜部であり、上部分割透明導電膜部１３３−１〜１３３−４のうち下部透明導電膜１１３に対向する部分、即ち、エリア１〜４に対応する部分である。
【００２７】
１３４−１〜１３４−４は導電接着予定部であり、点形状であり、夫々上部分割透明導電膜部１３３−１〜１３３−４の中であって、夫々エリア対応上部分割透明導電膜部１３３−１ａ〜１３３−４ａに近い場所に配置してある。この導電接着予定部１３４−１〜１３４−４が上部分割透明導電膜部１３３−１〜１３３−４に形成してあるので、図１及び図２（Ａ）に示されている配線パターン３５−１〜３５−４に対応する配線パターン及び中継電極３４−１〜３４−４に対応する中継電極は形成されていない。このようにフィルム１３０には配線パターンが一切形成されていないため、エリア４分割アナログ抵抗膜タッチパネル１１０は図１に示す従来のエリア４分割アナログ抵抗膜タッチパネル１０に比較して高い信頼性を有する。
【００２８】
なお、ガラス板１１１上の中継電極１１８−１〜１１８−４は、上記の導電接着予定部１３４−１〜１３４−４の配置に対応して配置してある。
【００２９】
フレキシブルケーブル１４０は、フレキシブルなテープ状のシート上に複数の配線パターンが平行に形成してあり、Ｘ２端側部分１４０ａは上記切欠１３１に対応する大きさであり、ここに、上記の外部接続用端子１２０−１〜１２０−６に対応して端子が並んでいる構成である。
【００３０】
ガラス板１１１とフィルム１３０とは、エリア対応上部分割透明導電膜部１３３−１ａ〜１３３−４ａがスペーサによって形成される隙間を介して下部透明導電膜１１３上に対向し、導電接着予定部１３４−１〜１３４−４が夫々中継電極１１８−１〜１１８−４と導電接着されて接続された状態にある。フレキシブルケーブル１４０のＸ２端側部分１４０ａがフィルム１３０の切欠１３１内に収まってガラス板１１１上に接着してあり、フレキシブルケーブル１４０の端子１４０ａが外部接続用端子１２０−１〜１２０−６と接続されている。
【００３１】
制御回路装置によってフレキシブルケーブル１４０を通して点電極１１７ｂ及び点電極１１７ｃに電圧Ｖｃｃが交互に印加され下部透明導電膜１１３にＸ方向の電位勾配及びＹ方向の電位勾配が交互に形成される。エリア１を押す操作を行うと、エリア対応上部分割透明導電膜部１３３−１ａのうち下部透明導電膜１３と接触された点に応じた電位の信号がエリア対応上部分割透明導電膜部１３３−１ａ、上部分割透明導電膜部１３３−１のうちエリア対応上部分割透明導電膜部１３３−１ａの外側の部分、導電接着予定部１３４−１、中継電極１１８−１、配線パターン１１９−１、外部接続用端子１２０−１、フレキシブルケーブル１４０を介して制御回路装置に送られる。即ち、押し操作した点の電位が上部分割透明導電膜部１３３−１を通して検出され、押し操作した点のＸ，Ｙ座標が割り出される。エリア２を押す操作を行うと、押し操作した点の電位がエリア対応上部分割透明導電膜部１３３−２ａ、上部分割透明導電膜部１３３−２のうちエリア対応上部分割透明導電膜部１３３−２ａの外側の部分、導電接着予定部１３４−２、中継電極１１８−２、配線パターン１１９−２、外部接続用端子１２０−２、フレキシブルケーブル４０を介して検出され、押し操作した点のＸ，Ｙ座標が割り出される。エリア３を押す操作を行うと、押し操作した点の電位がエリア対応上部分割透明導電膜部１３３−３ａ、上部分割透明導電膜部１３３−３のうちエリア対応上部分割透明導電膜部１３３−３ａの外側の部分、導電接着予定部１３４−３、中継電極１１８−３、配線パターン１１９−３、外部接続用端子１２０−３、フレキシブルケーブル４０を介して検出され、押し操作した点のＸ，Ｙ座標が割り出される。エリア４を押す操作を行うと、押し操作した点の電位がエリア対応上部分割透明導電膜部１３３−４ａ、上部分割透明導電膜部１３３−４のうちエリア対応上部分割透明導電膜部１３３−４ａの外側の部分、導電接着予定部１３４−４、中継電極１１８−４、配線パターン１１９−４、外部接続用端子１２０−４、フレキシブルケーブル１４０を介して検出され、押し操作した点のＸ，Ｙ座標が割り出される。
【００３２】
エリア１〜４を同時に押し操作すると、各押し操作した点のＸ，Ｙ座標が別々に且つ同時に割り出される。
【００３３】
上記のエリア４分割アナログ抵抗膜タッチパネル１１０は、フィルム１３０には配線パターンが一切形成されていない状態で構成してあるため、フィルム１３０上に配線パターンを形成した場合の問題点、即ち、印刷性がよくない、タッチパネルの操作によってストレスを受ける虞れがある、タッチパネルの表面が損傷した場合にその影響を受ける虞れがある、切欠１３１に臨んでいる部分を通る配線パターンは幅を狭くする必要がある等の問題点が全て解決され、従来に比較して高い信頼性を有する。また、各エリア対応上部分割透明導電膜部と外部接続用端子との間を接続する全ての配線パターン１１９−１〜１１９−４がガラス板１１１上に形成されているため、幅を少しも狭くしないで配線パターンの数を増やすことが可能となり、よって、エリアの数を５以上の数に増やすことも可能である。
【実施例２】
【００３４】
図７は本発明の実施例２になるエリア４分割アナログ抵抗膜タッチパネル１１０Ａを分解して示す。図８は図４に示すタッチパネル１１０からガラス板上面の透明導電膜に電位勾配を形成する手段を取り除いた構成、即ち、各エリアの押し操作された座標の電位を上部透明導電膜を通して取り出す部分の構成を示す。図７及び図８中、図４及び図６と対応する部分には同じ符号を付す。
【００３５】
エリア４分割アナログ抵抗膜タッチパネル１１０Ａは、フィルム１３０に上部透明導電膜１３３Ａをエリア１〜４に対応する部分に限って有し、各エリア対応上部分割透明導電膜部１３３−１ａ〜１３３−４ａの外側の縁に沿ってＬ字形状の電極２００−１〜２００−４を有し、各Ｌ字形状電極２００−１〜２００−４が夫々ガラス板１１１上の中継電極１１８−１〜１１８−４と接続されている構成である。Ｌ字形状の電極２００−１はエリア対応上部分割透明導電膜部１３３−１ａのＸ方向に延在する縁に沿う電極部２００−１ＸとＹ方向に延在する縁に沿う電極部２００−１Ｙとよりなる。他のＬ字形状の電極２００−２、２００−３、２００−４も同じである。３０１〜３０４は各Ｌ字形状電極２００−１〜２００−４のうち中継電極１１８−１〜１１８−４と接続される接続予定部である。
【００３６】
各エリア１〜４を押す操作を行った場合に、押し操作した点の電位は、エリア対応上部分割透明導電膜部１３３−１ａ〜１３３−４ａを通してＬ字形状電極２００−１〜２００−４のうち押し操作した点に最も近い部分でピックアップされ、ＯＮ抵抗は大きくはならない。
【００３７】
図４に示すエリア４分割アナログ抵抗膜タッチパネル１１０においては、各エリア１〜４の面積が大きい場合であって、各エリア１〜４のうち導電接着予定部１３４−１〜１３４−４から遠い場所を押し操作した場合には、ＯＮ抵抗が大きくなりすぎて座標の検出が不能となる虞れがある。即ち、各エリア１〜４のうち導電接着予定部１３４−１〜１３４−４から遠い場所は不感場所となる虞れがある。
【００３８】
しかし、上記の実施例２になるエリア４分割アナログ抵抗膜タッチパネル１１０Ａにおいては、各エリア１〜４の面積が大きい場合であっても、座標の検出が不能となる不感場所が形成されてしまうことがなくなる。
【実施例３】
【００３９】
図９は本発明の実施例３になるエリア４分割アナログ抵抗膜タッチパネル１１０Ｂを簡略化して示す。エリア４分割アナログ抵抗膜タッチパネル１１０Ｂは、図７及び図８に示す上記の実施例２になるエリア４分割アナログ抵抗膜タッチパネル１１０Ａの変形例的なものであり、所定のサイズである各Ｌ字形状電極２００−１〜２００−４のうち中継電極１１８−１〜１１８−４との接続予定部３０１ａ〜３０４ａが外部接続用端子１２０−１〜１２０−４が並んでいる側であるＸ１側寄りの場所であるようにしてある。各Ｌ字形状電極２００−１〜２００−４は共にＸ１側寄りに位置する接続予定部３０１ａ〜３０４ａで各中継電極１１８−１〜１１８−４と接続されている。
【００４０】
この構成によれば、ガラス板１１１上の配線パターン１１９−１〜１１９−４の長さが図７及び図８のエリア４分割アナログ抵抗膜タッチパネル１１０Ａの対応する配線パターンの長さに比べて短くなる。よって、ＯＮ抵抗が更に低くなり、また、配線パターンを形成する材料も節約できる。
【実施例４】
【００４１】
図１０は本発明の実施例４になるエリア４分割アナログ抵抗膜タッチパネル１１０Ｃを簡略化して示す。エリア４分割アナログ抵抗膜タッチパネル１１０Ｃは、図４乃至図６に示す上記の実施例１になるエリア４分割アナログ抵抗膜タッチパネル１１０の変形例的なものであり、導電接着予定部１３４−１ａ〜１３４−４ａが各上部分割透明導電膜部１３３−１〜１３３−４のうち外部接続用端子１２０−１〜１２０−４が並んでいる側であるＸ１側寄りの場所であるようにしてある。各上部分割透明導電膜部１３３−１〜１３３−４は共にＸ１側寄りに位置する導電接着予定部１３４−１ａ〜１３４−４ａで各中継電極１１８−１〜１１８−４と接続されている。
【００４２】
この構成によれば、ガラス板１１１上の配線パターン１１９−１〜１１９−４の長さが図４乃至図６のエリア４分割アナログ抵抗膜タッチパネル１１０の対応する配線パターンの長さに比べて短くなる。よって、ＯＮ抵抗が更に低くなり、また、配線パターンを形成する材料も節約できる。
【図面の簡単な説明】
【００４３】
【図１】従来のエリア４分割アナログ抵抗膜タッチパネルを分解して示す図である。
【図２】（Ａ）はフィルム下面の透明導電膜及び配線パターンを示し、（Ｂ）はガラス板上面の透明導電膜、配線パターン及びダイオード等を示す図である。
【図３】図１のタッチパネルにおいて、各エリアの押し操作された座標の電位を上部透明導電膜を通して取り出す部分の構成を示す図である。
【図４】本発明の実施例１のエリア４分割アナログ抵抗膜タッチパネルを分解して示す図である。
【図５】（Ａ）はフィルム下面の透明導電膜及び配線パターンを示し、（Ｂ）はガラス板上面の透明導電膜、配線パターン及びダイオード等を示す図である。
【図６】図４のタッチパネルにおいて、各エリアの押し操作された座標の電位を上部透明導電膜を通して取り出す部分の構成を示す図である。
【図７】本発明の実施例２のエリア４分割アナログ抵抗膜タッチパネルを分解して示す図である。
【図８】図７のタッチパネルにおいて、各エリアの押し操作された座標の電位を上部透明導電膜を通して取り出す部分の構成を示す図である。
【図９】本発明の実施例３のエリア４分割アナログ抵抗膜タッチパネルを概略的に示す図である。
【図１０】本発明の実施例４のエリア４分割アナログ抵抗膜タッチパネルを概略的に示す図である。
【符号の説明】
【００４４】
１〜４  エリア
１１０，１１０Ａ〜１１０Ｃ  エリア４分割アナログ抵抗膜タッチパネル
１１１  ガラス板
１１１ｅ  額縁
１１２，１２１  絶縁膜
１１３  下部透明導電膜
１１６ａ〜１１６ｄ  ダイオードチップ
１１７ａ〜１１７ｄ  点電極
１１８−１〜１１８−４  中継電極
１１９−１〜１１９−４  配線パターン
１２０−１〜１２０−６  外部接続用端子
１３０  フィルム
１３２  スリット
１３３  上部透明導電膜
１３３−１〜１３３−４  上部分割透明導電膜部
１３３−１ａ〜１３３−４ａ  エリア対応上部分割透明導電膜部
１３４−１〜１３４−４、１３４−１ａ〜１３４−４ａ  導電接着予定部
１４０  フレキシブルケーブル
２００−１〜２００−４  Ｌ字形状電極
３０１〜３０４、３０１ａ〜３０４ａ  接続予定部
【図１】
2006039667.tif 000003
【図２】
2006039667.tif 000004
【図３】
2006039667.tif 000005
【図４】
2006039667.tif 000006
【図５】
2006039667.tif 000007
【図６】
2006039667.tif 000008
【図７】
2006039667.tif 000009
【図８】
2006039667.tif 000010
【図９】
2006039667.tif 000011
【図１０】
2006039667.tif 000012